(57)【要約】      （修正有）【課題】バネが生じる下向きの圧力を利用する自動給紙装置を提供する。【解決手段】自動給紙装置は、紙ピックアップモジュール２０、第二随動ギア３２、スライドギア３３、係合フック３４、停止板３５、第二逆フック３６１、頂点ブロック３６２、弾性部品３７を備え、紙ピックアップモジュール２０は第一随動ギア２５０に設置し、第二随動ギア３２は第一随動ギア２５０に噛み合い、スライドギア３３は第二随動ギア３２に噛み合い、第一位置３１１と第二位置３１２との間で移動し、係合フック３４はスライドギア３３の隣接位置に設置し、回転状に設置する本体を設置し、本体一端には第一逆フック３４４を設置し、反対端には相互に間を開ける調整歯３４５と停止ブロック３４６を設置し、調整歯３４５はスライドギア３３と噛み合い、停止板３５は係合フック３４の隣接位置に設置し、停止ブロック３４６方向へと延伸する停止アーム３５０、及び反対方向へと延伸するスイングアーム３５１を設置する。【選択図】図７
0003186618.tif 000002
【実用新案登録請求の範囲】
【請求項１】
自動給紙装置は、紙ピックアップモジュール、第二随動ギア、スライドギア、係合フック、停止板、第二逆フック、頂点ブロック、弾性部品を備え、
前記紙ピックアップモジュールは、第一随動ギアに設置し、
前記第二随動ギアは、前記第一随動ギアに噛み合い、
前記スライドギアは、前記第二随動ギアに噛み合い、第一位置と第二位置との間で移動し、
前記係合フックは、前記スライドギアの隣接位置に設置し、回転状に設置する本体を設置し、前記本体一端には、第一逆フックを設置し、反対端には、相互に間を開ける調整歯と停止ブロックを設置し、前記調整歯は、前記スライドギアと噛み合い、
前記停止板は、前記係合フックの隣接位置に設置し、前記停止ブロック方向へと延伸する停止アーム、及び反対方向へと延伸するスイングアームを設置し、
前記第二逆フックは、前記第一逆フックと嵌合し、
前記頂点ブロックは、前記停止板上方に設置し、前記停止板のスイングアームを押さえ、
前記弾性部品は、前記紙ピックアップモジュール上方に設置し、前記紙ピックアップモジュールを押さえ、
前記紙ピックアップモジュールが紙をピックアップすると、前記スライドギアは、前記第一位置において調整歯を動かし、前記係合フックを回転させ、これにより第一逆フックと第二逆フックとは分離し、こうして、前記スイングアームと前記頂点ブロックとは分離し、前記停止アームは、前記停止フロックを押さえ、前記弾性部品は、前記紙ピックアップモジュールを押さえて下圧させ、前記スライドギアと前記調整歯とを分離させ、前記紙ピックアップモジュールが紙のピックアップを停止すると、前記スライドギアは、第二位置まで移動し、前記調整歯と噛み合い、前記停止アームは、前記停止ブロックを押さえるため、係合フックは、スライドギアの支点を形成し、こうして、前記紙ピックアップモジュールは上昇し、前記頂点ブロックは、前記スイングアームを押さえ、停止アームと停止ブロックとを分離させ、この時、前記スライドギアは、調整歯を調整し、前記第一逆フックと前記第二逆フックとは嵌合することを特徴とする自動給紙装置。
【請求項２】
前記紙ピックアップモジュール上方には、上蓋を設置し、前記弾性部品は、少なくとも１個のバネを備え、前記紙ピックアップモジュールの中央部に可動状に接続し、前記バネ一端には、前記上蓋に連接する施力アームを設置し、反対端には、前記紙ピックアップモジュール前端部に連接する抗力アームを設置することを特徴とする請求項１に記載の自動給紙装置。
【請求項３】
前記紙ピックアップモジュールには、固定支持フレームを設置し、前記固定支持フレームには、頂壁と側壁を設置し、前記頂壁上表面には、嵌槽を設置し、前記バネは前記側壁中央に可動状に接続し、前記抗力アームは、前記嵌槽を押さえることを特徴とする請求項２に記載の自動給紙装置。
【請求項４】
前記上蓋は、前記紙ピックアップモジュール両側に、垂直に延伸する少なくとも１個の係合槽を設置し、前記施力アームは、前記係合槽を押さえることを特徴とする請求項３に記載の自動給紙装置。
【請求項５】
前記本体外表面には、軸方向に沿って、突起を設置し、前記係合フックの下方には、弾片を設置し、前記弾片と前記係合フックの本体は、間隔を開け、前記係合フックが回転すると、前記突起は、前記弾片を押さえ続けることを特徴とする請求項１に記載の自動給紙装置。
【請求項６】
前記紙ピックアップモジュールには、停止面を設置し、前記第一逆フックを押さえて、係合フックの回転角度を制限することを特徴とする請求項１に記載の自動給紙装置。
【請求項７】
前記紙ピックアップモジュールには、固定支持フレームを設置し、前記固定支持フレームには、側壁、スライドギア、係合フック、停止板、第二随動ギアを設置し、側壁に可動状に接続することを特徴とする請求項１に記載の自動給紙装置。
【考案の詳細な説明】
【技術分野】
【０００１】
本考案は自動給紙装置に係わり、特にバネが生じる下向きの圧力を利用する自動給紙装置に関する。
【背景技術】
【０００２】
プリンター、コピー機、スキャナー、ファックス、或いは前記機能を統合した多機能事務機には、自動給紙装置(ADF)が設置されており、自動給紙装置により紙を機器内部へと送る。
紙を給紙する過程では、機器に紙が詰まらないかどうかが重要になるため、自動給紙装置の信頼性は非常に大切となる。
【０００３】
図１に示すように、従来の給紙装置１００’は、紙ピックアップモジュール台１０’、第一紙ピックアップローラー１１’、第二紙ピックアップローラー１２’、紙ピックアップベルト１３’、一方向ギア２０’、給紙ギア２１’、第一給紙回転軸２２’、第二給紙回転軸２３’、給紙バネ２４’、復帰バネ２５’を備える。
【０００４】
紙ピックアップモジュール台１０’は、相対する２個の側壁を備え、固定端１０１’、自由端１０２’を備える。
固定端１０１’は、第一紙ピックアップローラー１１’を収容し、自由端１０２’は、第二紙ピックアップローラー１２’を収容する。
第一紙ピックアップローラー１１’と第二紙ピックアップローラー１２’の片側には、第一歯部１１０’、第二歯部１２０’をそれぞれ備える。
紙ピックアップベルト１３’は、第一歯部１１０’と第二歯部１２０’に嵌めて接続して動力を伝達する。
【０００５】
第一紙ピックアップローラー１１’は、第一歯部１１０’端に相対し、ラチェット１１１’を設置する。
一方向ギア２０’とラチェット１１１一方向ギア２０’は噛み合い、位置限定槽２００’を備え、しかも一方向ギア２０’とラチェット１１１’の歯の噛み合い方向は、逆時計回りである。
一方向ギア２０’が時計回りに回転すると、歯の特殊角度設計により、一方向ギア２０’とラチェット１１１’は、相互に空転する。
【０００６】
第二給紙回転軸２３’は、固定短１０１’により両側壁に接続される。
しかも、一方向ギア２０’と第一紙ピックアップローラー１１’は、両側壁に接続され、第二紙ピックアップローラー２３’は、一方向ギア２０’と側壁との間に、伝動台２３０’を設置する。
伝動台２３０’は、凸ブロック２３１’を備え、位置限定槽２００’に対応し、第二給紙回転軸２３’により、逆時計回りに回転し、伝動台２３０’を連動する。
これにより、凸ブロック２３１’は、位置限定槽２００’を圧迫して回転させる。
こうして、一方向ギア２０’は、第一紙ピックアップローラー１１’を連動して、逆時計回りに回転させる。
第一歯部１１０’は、紙ピックアップベルト１３’を通して、第二歯部１２０’を連動し回転させる。
反対に、伝動軸２００’が時計回りに回転すると、一方向ギア２０’とラチェット１１１一方向ギア２０’とは、相互に空転し緩む。
【０００７】
給紙ギア２１’の片側は、給紙バネ２４’と連結して固定する。
給紙バネ２４’の反対端は、第一給紙回転軸２２’に嵌めて設置する。
給紙ギア２１’が逆時計回りに回転すると、給紙バネ２４’は、第一給紙回転軸２２’を回して締め、その回転を連動する。
給紙ギア２１’が時計回りに回転すると、給紙バネ２４’は回転して緩み、給紙バネ２４’と第一給紙回転軸２２’を緩め、相互に空転し、第一給紙回転軸２２’は、回転を停止する。
【０００８】
復帰バネ２５’一端は、第二給紙回転軸２３’に嵌めて設置し、反対端は、紙ピックアップモジュール台１０’上に固定する。
第一給紙回転軸２２’は、第二給紙回転軸２３’を連動して接続する。
【０００９】
作動時には、給紙ギア２１’は逆時計回りに回転し、給紙バネ２４’を連動し、第一給紙回転軸２２’を締める。
こうして、第二給紙回転軸２３’を連動し、逆時計回り方向へと回転させる。
これにより、復帰バネ２５’は、第二給紙回転軸２３’を締め、逆時計回りのトルクを生じる。
こうして、紙ピックアップモジュール台１０’を連動する。
これにより、紙ピックアップモジュール台１０’の自由端１０２’は、固定端１０１’に沿って、紙ピックアップ平面に到達するまで下方へと回転する。
【００１０】
この時、紙ピックアップ平面の抵抗力が過大なため、復帰バネ２５’は第二給紙回転軸２３’に対して、干渉性空転を発生する(最大静動摩擦力を超過)。
これにより、紙ピックアップモジュール台１０’固定のトルクを保持し、紙ピックアップ平面を押さえ、しかも回転する第一紙ピックアップローラー１１’と第二紙ピックアップローラー１２’を通して、紙ピックアップを行う。
【００１１】
続いて、給紙ギア２１’が時計回りに回転すると、給紙バネ２４’は、時計回りに連動され緩み、第一給紙回転軸２２’は、連動を停止する。
この時、紙ピックアップ動作は、復帰バネ２５’に、時計回りの復帰回転のトルクを既に保存させているため、このトルクは、第二給紙回転軸２３’に伝送される。
これにより、復帰バネ２５’のトルクは、紙ピックアップモジュール台１０’を連動し、時計回りの回転を生じさせる。
この時、自由端１０２’は、固定端１０１’を軸心として、上昇し、一回の紙ピックアップ循環を完成する。
【００１２】
但し、従来の給紙装置１００’の動力伝送は、給紙バネ２４’に非常に頼っているため、バネが一定回数の往復を行った後は、第一給紙回転軸２２’との間の摩擦力及び復帰バネ２５’と第二給紙回転軸２３’との間の摩擦力は低下する。
これにより、使用性能の減衰を招き、深刻な場合には効力を失ってしまい、下向きに押さえる力が不足し、またはもとの位置へ戻ることができない等の問題が発生する。
本考案は、従来の紙フィーダーの上記した欠点に鑑みてなされたものである。
【考案の概要】
【考案が解決しようとする課題】
【００１３】
本考案が解決しようとする課題は、性能が減衰し、深刻な場合には効力を失ってしまうという従来のバネと回転軸との間の摩擦力の問題を解決することができる自動給紙装置を提供することである。
【課題を解決するための手段】
【００１４】
上記課題を解決するため、本考案は下記の自動給紙装置を提供する。
自動給紙装置は、紙ピックアップモジュール、第二随動ギア、スライドギア、係合フック、停止板、第二逆フック、頂点ブロック、弾性部品を備え、該紙ピックアップモジュールは、第一随動ギアに設置し、該第二随動ギアは、該第一随動ギアに噛み合い、該スライドギアは、該第二随動ギアに噛み合い、第一位置と第二位置との間で移動し、該係合フックは、該スライドギアの隣接位置に設置し、回転状に設置する本体を設置し、該本体一端には、第一逆フックを設置し、反対端には、相互に間を開ける調整歯と停止ブロックを設置し、該調整歯は、該スライドギアと噛み合い、該停止板は、該係合フックの隣接位置に設置し、該停止ブロック方向へと延伸する停止アーム、及び反対方向へと延伸するスイングアームを設置し、該第二逆フックは、該第一逆フックと嵌合し、該頂点ブロックは、該停止板上方に設置し、該停止板のスイングアームを押さえ、該弾性部品は、該紙ピックアップモジュール上方に設置し、該紙ピックアップモジュールを押さえ、該紙ピックアップモジュールが紙をピックアップすると、該スライドギアは、該第一位置において調整歯を動かし、該係合フックを回転させ、これにより第一逆フックと第二逆フックとは分離し、こうして、該スイングアームと該頂点ブロックとは分離し、該停止アームは、該停止フロックを押さえ、該弾性部品は、該紙ピックアップモジュールを押さえて下圧させ、該スライドギアと該調整歯とを分離させ、該紙ピックアップモジュールが紙のピックアップを停止すると、該スライドギアは、第二位置まで移動し、該調整歯と噛み合い、該停止アームは、該停止ブロックを押さえるため、係合フックは、スライドギアの支点を形成し、こうして、該紙ピックアップモジュールは上昇し、該頂点ブロックは、該スイングアームを押さえ、停止アームと停止ブロックとを分離させ、この時、該スライドギアは、調整歯を調整し、該第一逆フックと該第二逆フックとは嵌合する。
【考案の効果】
【００１５】
本考案の自動給紙装置は、スイングモジュールにより、従来の給紙バネ及び復帰バネの機能に置換するため、摩擦力の問題を解決し、しかもスイングモジュールは、使用回数が多くなっても性能が低下することはないため、装置の使用寿命を大幅に延長することができる。
【図面の簡単な説明】
【００１６】
【図１】従来の紙フィーダーの立体図である。
【図２】本考案の自動給紙装置の立体分解図である。
【図３】図２に示す自動給紙装置の紙ピックアップモジュールの立体分解図である。
【図４】図３中のIV位置の拡大図である。
【図５】図２に示す自動給紙装置のスイングモジュールの右側視図である。
【図６】図２に示す自動給紙装置の逆フックの立体図である。
【図７】Ａは紙ピックアップ機構が正に下へと押そうとしている時の状態を示し、Ｂは紙ピックアップ機構が正に上へと上がろうとしている時の状態を示す図２に示す自動給紙装置の左側断面図である。
【考案を実施するための形態】
【００１７】
以下に図面を参照しながら本考案を実施するための最良の形態について詳細に説明する。
【００１８】
図２に示すように、本考案自動給紙装置１は、動力モジュール１０、紙ピックアップモジュール２０、スイングモジュール３０を備える。
【００１９】
動力モジュール１０は、回転動を紙ピックアップモジュール２０に伝送できる。
スイングモジュール３０は、紙ピックアップモジュール２０と噛み合うことで、動力モジュール１０が伝送する回転エネルギーを受取ることができる。
【００２０】
動力モジュール１０はさらに、伝動ギア１１、受動ギア１２、第一伝動棒１３を備える。
受動ギア１２と伝動ギア１１とは噛み合い、第一伝動棒１３と受動ギア１２とは、同軸で連接する。
伝動ギア１１の回転方向は、一つは給紙方向１１０で、一つは復始方向１１１である。
給紙方向１１０は、紙ピックアップモジュール２０の下圧をコントロールし、しかもローリングして紙をピックアップする。
復始方向１１１は、紙ピックアップモジュール２０が上昇して復位をコントロールする。
【００２１】
図３に示すように、紙ピックアップモジュール２０は、固定支持フレーム２１、分紙ローラー２４、第二伝動棒２５、紙ピックアップローラー２６、ベルト２７を備える。
固定支持フレーム２１は、頂点壁２２と側壁２３を備える。
側壁２３は、頂点壁２２の片側に連接する。
側壁２３は、固定端２３０、自由端２３１を備える。
自由端２３１は、固定端２３０を軸心として回転する。
頂壁２２上表面には、嵌槽２８を設置する。
【００２２】
分紙ローラー２４は、固定支持フレーム２１の固定端２３０に設置する。
紙ピックアップローラー２６は、固定支持フレーム２１の自由端２３１に設置する。
分紙ローラー２４片側には、第一歯部２４０を設置する。
第一歯部２４０は、一回りのギア歯を備える。
紙ピックアップローラー２６片側には、第一歯部２４０に対応する第二歯部２６０を設置する。
ベルト２７は、第一歯部２４０と第二歯部２６０に連接する。
【００２３】
第二伝動棒２５は、分紙ローラー２４の軸心、及び固定支持フレーム２１の側壁２３を通過し、固定支持フレーム２１の固定端２３０に設置する。
第二伝動棒２５は、第一伝動棒１３と連動する。
第二伝動棒２５上には、第一随動ギア２５０を設置する。
第一随動ギア２５０側辺には、第一ラチェットギア２５１を設置する。
第一ラチェットギア２５１は、複数の第一ラチェット２５２を備える。
【００２４】
分紙ローラー２４は、第一随動ギア２５０の側辺に対応し、第二ラチェットギア２４１を設置する。
第二ラチェットギア２４１は、複数の第二ラチェット２４２を備える。
第二ラチェット２４２は、第一ラチェット２５２と相互に噛み合うことができる。
第二伝動棒２５により、第一ラチェットギア２５１を連動することで、第一ラチェットギア２５１は、第二ラチェットギア２４１と噛み合う。
こうして、分紙ローラー２４の回転を連動し、分紙ローラー２４の第一歯部２４０により、ベルト２７を連動し、紙ピックアップローラー２６の回転を牽引する。
【００２５】
図４に示すように、伝動ギア１１が、復始方向１１１へと回転すると、紙ピックアップローラー２６と分紙ローラー２４のローリングは意味を持たなくなる。
そこで、動力伝送の負担を軽減するため、第一ラチェットギア２５１及び第二ラチェットギア２４１は、一方向ラチェットギアを優先的に選択する。
よって、第一ラチェットギア２５１は、第二伝動棒２５の軸方向に沿ってスライドし、第二伝動棒２５上に嵌めて設置される。
これにより、伝動ギア１１が、復始方向１１１へと回転し、しかも第一ラチェットギア２５１を連動する時、第一ラチェットギア２５１は、スライド状に、第二ラチェットギア２４１と分離し、第二ラチェットギア２４１の噛み合い位置を離れる。
【００２６】
具体的には、第一ラチェットギア２５１には、斜スライド槽２５１０を設置する。
斜スライド槽２５１０は、第一ラチェットギア２５１の径方向に沿って、スライド空間を設置する。
スライド空間片側には、傾斜面を設置する。
第一随動ギア２５０は、斜スライド槽２５１０内に伸び入る斜スライドブロック２５０１を設置する。
これにより、伝動ギア１１が給紙方向１１０へと回転し、しかも第一随動ギア２５０を連動する時、斜スライドブロック２５０１は、斜スライド槽２５１０一端へとスライドし、斜スライド槽２５１０の傾斜面に接触して止まる。
こうして、第一ラチェットギア２５１は、第二伝動棒２５の軸方向に沿って、スライドし、第二ラチェットギア２４１に連接し、噛み合い位置となる。
【００２７】
反対に、復始方向１１１へと回転する時、斜スライドブロック２５０１は、斜スライド槽２５１０反対端においてスライドし、斜スライド槽２５１０の傾斜面に接触して止まる。
こうして、第一ラチェットギア２５１は、第二伝動棒２５の軸方向に沿ってスライドし、第二ラチェットギア２４１と分離し、噛み合い位置から退出する。
【００２８】
第一ラチェット２５２には、第一接触面２５２０と第一傾斜面２５２１を設置する。
第一接触面２５２０は、第一ラチェットギア２５１の軸方向におおよそ平行で、しかも第一接触面２５２０面は、第一傾斜面２５２１との間に、鋭角を形成する。
第二ラチェットギア２４２には、第二接触面２４２０と第二傾斜面２４２１を設置する。
第二接触面２４２０は、第二ラチェットギア２４１の軸方向におおよそ平行で、しかも第二接触面２４２０面は、第二傾斜面２４２１との間に、鋭角を形成する。
【００２９】
図２、５、７に示すように、スイングモジュール３０は、側板３１、第二随動ギア３２、スライドギア３３、係合フック３４、停止板３５、上蓋３６、弾性部品３７を備える。
【００３０】
側板３１は、固定支持フレーム２１の頂点壁２２側辺に連接する。
側板３１は、固定支持フレーム２１上に、滑行槽３１０をそれぞれ形成する。
滑行槽３１０の頂点端は、第一位置３１１と定義し、底端は、第二位置３１２と定義する。
第二随動ギア３２は、側板３１と頂点壁２２との間に設置し、紙ピックアップモジュール２０の第一随動ギア２５０と噛み合う。
スライドギア３３と第二随動ギア３２とは噛み合う。
スライドギア３３の軸心は、滑行槽３１０中に伸び入る。
これにより、スライドギア３３は、滑行槽３１０の第一位置３１１と第二位置３１２との間で、往復スライドを行う。
【００３１】
係合フック３４とスライドギア３３とは隣り合って設置し、回転設置の本体３４０を備え、軸方向に沿って一端は機能端３４１で、反対端は調整制御端３４２である。
本体３４０外表面には、軸方向に沿って、突起３４３を延伸する。
本体３４０外表面は、機能端３４１位置に、L型の第一逆フック３４４を設置する。
頂点壁２２は、係合フック３４横において、停止面２２０を延伸する。
停止面２２０は、第一逆フック３４４を押さえ、係合フック３４の回転角度を制限する。
本体３４０外表面は、調整制御端３４２位置に、調整歯３４５、停止ブロック３４６を設置する。
調整歯３４５と停止ブロック３４６は、間隔を開けて設置する。
調整歯３４５は、スライドギア３３と噛み合うことができる。
本実施例では、L型の第一逆フック３４４は、調整歯３４５と停止ブロック３４６との間に設置する。
【００３２】
停止板３５と係合フック３４とは隣接して設置し、停止ブロック３４６方向へと延伸する停止アーム３５０、及び反対方向へと延伸するスイングアーム３５１を備える。
停止アーム３５０の重量は、スイングアーム３５１より大きい。
上蓋３６は、紙ピックアップモジュール２０と動力モジュール１０の上方に設置し、同一軸方向線上の第一伝動棒１３、第二伝動棒２５、側板３１に対して、固定を行い、回転の支点を提供する。
上蓋３６は、紙ピックアップモジュール２０両側に、垂直に延伸する一対の係合槽３６０を設置する。
【００３３】
上蓋３６は、係合フック３４に近接する位置に、L型の第二逆フック３６１を設置し、第一逆フック３４４と係合する。
上蓋３６は、スイングアーム３５１上方に、頂点ブロック３６２を設置する。
側板３１は、係合フック３４の下方に、水平に延伸する弾片３１３を設置する。
弾片３１３と係合フック３４の本体３４０とは、間隔を隔てる。
係合フック３４が回転すると、突起３４３は、弾片３１３を押さえ、こうして対抗力を生じる。
これにより、係合フック３４は、揺れ動き移動することがなく、係合フック３４が、作用過程において、揺れ動くことで、調整歯３４５が移動し、スライドギア３３が引っ掛かり動かなくなることを防止することができる。
【００３４】
弾性部品３７は、上蓋と紙ピックアップモジュール２０との間に設置する。
これにより、紙ピックアップモジュール２０に対して、継続して下圧する作用力を生じる。
具体的には、弾性部品３７は、双バネ３７０を優先的に選択し、側板３１と側壁２３上に設置し、一対の施力アーム３７１、一対の抗力アーム３７２を備える。
抗力アーム３７２間は、連接アーム３７３を通して相互に連接する。
施力アーム３７１は、係合槽３６０内に入り押さえる。
連接アーム３７３は、嵌槽２８に嵌り、係合槽３６０を施力支点とし、自由端２３１に対して下圧を行う。
こうして、紙ピックアップモジュール２０を連動し、下方へと回転させる。
【００３５】
本考案自動給紙装置１は、回転モーター(図示なし)により、回転力を、伝動ギア１１に提供する。
これにより、自動給紙装置１は、下圧し、ローリングを開始し、ローリングを停止し、上昇する動作を実現する。
その作動過程について、図７、２を用いて以下に説明する。
【００３６】
初期状態(図７Ａ)：第一逆フック３４４と第二逆フック３６１は、嵌合して固定し、紙ピックアップモジュール２０を牽制する。
これにより、弾性部品３７の回転量に対抗する。
頂点ブロック３６２は、スイングアーム３５１を押し、停止アーム３５０を上昇させる。
【００３７】
紙ピックアップ開始：伝動ギア１１は、給紙方向１１０へと回転し、第一伝動棒１３と第二伝動棒２５を連動する。
第二伝動棒２５は、第一随動ギア２５０を連動し、こうして斜スライドブロック２５０１を連動する。
第一随動ギア２５０は同時に、第二随動ギア３２に噛み合う。
続いて、斜スライドブロック２５０１は、第一ラチェットギア２５１を押す。
こうして、第一ラチェットギア２５１と第二ラチェットギア２４１は噛み合う。
第二ラチェットギア２４１は、分紙ローラー２４及び紙ピックアップローラー２６を連動し、ローリングして紙をピックアップする動作を実現する。
【００３８】
同時に、第二随動ギア３２は、スライドギア３３に噛み合い、これによりスライドギア３３は、第一位置３１１に位置する。
スライドギア３３は、調整歯３４５を調整し、係合フック３４を回転させる。
こうして、第一逆フック３４４と第二逆フック３６１とは分離し、第一逆フック３４４は、停止面２２０に接触して押さえる。
その過程において、突起３４３は、弾片３１３を押さえ続ける。
第一係合フック３４と第二逆フック３６１とが分離後、弾性部品３７は、紙ピックアップモジュール２０を連動して下圧させ、下圧動作を実現する。
しかも、スイングアーム３５１と頂点ブロック３６２とが分離後、比較的重い停止アーム３５０は、下方へと移動し、停止ブロック３４６と相互に接触する。
この状態で、調整歯３４５とスライドギア３３と分離して、さらに空転する。
【００３９】
紙ピックアップ停止(図７Ｂ)：伝動ギア１１は、復始方向１１１へと回転し、第一伝動棒１３及び第二伝動棒２５を連動する。
第二伝動棒２５は、第一随動ギア２５０を連動し、こうして斜スライドブロック２５０１を連動する。
これにより、第一随動ギア２５０は、第二随動ギア３２に噛み合う。
【００４０】
続いて、斜スライドブロック２５０１は、第一ラチェットギア２５１を押す。
これにより、第一ラチェットギア２５１は、噛み合い位置から退出する。
こうして、第二ラチェットギア２４１は空転を生じ、ローラーはローリングを停止する。
同時に、第二随動ギア３２は、スライドギア３３に噛み合う。
これにより、スライドギア３３は、第二位置３１２において、調整歯３４５と噛み合う。
この時、停止アーム３５０が停止ブロック３４６を押さえるため、スライドギア３３は、制限され、回転及びスライドができない。
これにより、係合フック３４、スライドギア３３、第二随動ギア３２、第二伝動棒２５はどれも回転することができず、動力モジュール１０の施力支点を形成する。
【００４１】
こうして、紙ピックアップモジュール２０は上昇し、頂点ブロック３６２は、スイングアーム３５１を押さえ、これにより停止アーム３５０は上昇し、停止ブロック３４６と分離する。
この時、各部品は回転を始めることができ、スライドギア３３は、調整歯３４５を調整することができる。
過程において、突起３４３は再び、弾片３１３を圧迫する。
係合フック３４が回転し、第一逆フック３４４と第二逆フック３６１が嵌合して固定する時、スライドギア３３と調整歯３４５は、再び分離し、上昇の動作を実現し、初期状態を回復する。
【００４２】
伝動ギア１１が再び、給紙方向１１０へと回転すると、第二随動ギア３２は、スライドギア３３を連動し、第一位置３１１へと移動させる。
こうして、スライドギア３３は再び、調整歯３４５と噛み合う。
【００４３】
上記したように、本考案自動給紙装置１は、スイングモジュール３０により、従来の給紙バネ２４’及び復帰バネ２５’の機能に置換する。
こうして、摩擦力の問題を解決し、しかもスイングモジュール３０は、使用回数が多くなっても性能が低下することはないため、装置の使用寿命を大幅に延長することができる。
【００４４】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【符号の説明】
【００４５】
１        自動給紙装置
１０      動力モジュール
１１      伝動ギア
１１０    給紙方向
１１１    復始方向
１２      受動ギア
１３      第一伝動棒
２０      紙ピックアップモジュール
２１      固定支持フレーム
２２      頂点壁
２２０    停止面
２３      側壁
２３０    固定端
２３１    自由端
２４      分紙ローラー
２４０    第一歯部
２４１    第二ラチェットギア
２４２    第二ラチェット
２４２０  第二接触面
２４２１  第二傾斜面
２５      第二伝動棒
２５０    第一随動ギア
２５０１  斜スライドブロック
２５１    第一ラチェットギア
２５１０  斜スライド槽
２５２    第一ラチェット
２５２０  第一接触面
２５２１  第一傾斜面
２６      紙ピックアップローラー
２６０    第二歯部
２７      ベルト
２８      嵌槽
３０      スイングモジュール
３１      側板
３１０    滑行槽
３１１    第一位置
３１２    第二位置
３１３    弾片
３２      第二随動ギア
３３      スライドギア
３４      係合フック
３４０    本体
３４１    機能端
３４２    調整制御端
３４３    突起
３４４    第一逆フック
３４５    調整歯
３４６    停止ブロック
３５      停止板
３５０    停止アーム
３５１    スイングアーム
３６      上蓋
３６０    係合槽
３６１    第二逆フック
３６２    頂点ブロック
３７      弾性部品
３７０    双バネ
３７１    施力アーム
３７２    抗力アーム
３７３    連接アーム
【図１】
0003186618.tif 000003
【図２】
0003186618.tif 000004
【図３】
0003186618.tif 000005
【図４】
0003186618.tif 000006
【図５】
0003186618.tif 000007
【図６】
0003186618.tif 000008
【図７】
0003186618.tif 000009